【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
第１の電流チャネルから第１の電流レベルを有する第１の電流を受けるように構成される第１の入力ターミナルと；
第２の電流チャネルから第２の電流レベルを有する第２の電流を受けるように構成される第２の入力ターミナルと；
前記第１の電流レベルが前記第２の電流レベルより大きい第１の条件で前記第１の電流レベル引く前記第２の電流レベルと等しく、それ以外の場合はゼロに等しいレベルを有する第１の駆動電流を供給するように構成される第１の電流発生器と；
前記第１の電流レベルが前記第２の電流レベルより大きい第２の条件で前記第２の電流レベルの２倍に等しく、それ以外の場合は前記第１の電流レベルの２倍に等しいレベルを有する第２の駆動電流を供給するように構成される第２の電流発生器と；
前記第１の電流レベルが前記第２の電流レベルより大きい第３の条件でゼロに等しく、それ以外の場合は前記第２の電流レベル引く前記第１の電流レベルに等しいレベルを有する第３の駆動電流を供給するように構成されるコントローラと；
を有する、
回路。
【請求項２】
前記第１の入力ターミナル及び前記第２の入力ターミナルを有し、前記第１の電流発生器、前記第２の電流発生器、及び前記コントローラが配置される、回路基板をさらに有する、
請求項１に記載の回路。
【請求項３】
前記第１の電流発生器は少なくとも：
前記第１の入力電流に基づく第１の入力電圧を受けるとともに前記第１の入力電圧に基づく第１の出力電圧を供給するように電気的に結合される第１の回路と；
前記第１の出力電圧を受けるとともに前記第１の出力電圧のレベルに基づいて前記第１の駆動電流を供給するように電気的に結合される第１の電圧制御電流源と；
を有する、
請求項１に記載の回路。
【請求項４】
前記第２の電流発生器は少なくとも：
前記第２の入力電流に基づく第２の入力電圧を受けるとともに前記第２の入力電圧に基づく第２の出力電圧を供給するように電気的に結合される第２の回路と；
前記第２の出力電圧を受けるとともに前記第２の出力電圧のレベルに基づいて前記第２の駆動電流を供給するように電気的に結合される第２の電圧制御電流源と；
を有する、
請求項３に記載の回路。
【請求項５】
前記コントローラは、前記第１及び前記第２の入力電流のレベルの両方がゼロより大きいという条件で前記第１及び前記第２の入力電圧のレベルに基づくレベルを有する前記第３の駆動電流を供給するように構成される、
請求項４に記載の回路。
【請求項６】
前記制御回路は、スイッチ及びゲート制御ロジックを有し、前記ゲート制御ロジックは、前記第１及び前記第２の入力電流のレベルの両方がゼロより大きいという条件に応答して前記スイッチをオンにし、それ以外の場合に前記スイッチをオフにするように構成される、
請求項１に記載の回路。
【請求項７】
発光ダイオード（ＬＥＤ）照明システムであって：
第１の範囲の第１の端部にある第１の相関色温度（ＣＣＴ）を有する光を放射するように構成されるＬＥＤアレイと；
前記第１の範囲の第２の端部にある第２のＣＣＴを有する光を放射するように構成される第２のＬＥＤアレイと；
前記第１のＣＣＴと前記第２のＣＣＴとの間の範囲の第３のＣＣＴを有する光を放射するように構成される第３のＬＥＤアレイと；
２つの出力ターミナルを有する２チャネルＬＥＤドライバであって、前記２つの出力ターミナルの各々において別個の駆動電流を供給するように構成される、２チャネルＬＥＤドライバと；
２つの入力ターミナルであって、前記２つの入力ターミナルの各々は、前記２チャネルＬＥＤドライバの前記２つの出力ターミナルのそれぞれの出力ターミナルに電気的に結合される、２つの入力ターミナルと、３つの出力ターミナルであって、前記３つの出力ターミナルの各々は、前記第１、前記第２、及び前記第３のＬＥＤアレイの各々にそれぞれの第１、第２、及び第３の駆動チャネルを介して別々の駆動電流を供給するように、前記第１、前記第２、及び前記第３のＬＥＤアレイのそれぞれのＬＥＤアレイに電気的に結合される、３つの出力ターミナルと、を有するコンバータ回路であって：
前記２チャネルＬＥＤドライバの第１の駆動電流に基づく第１の電圧を受けるように電気的に結合され、前記第２の入力電圧のレベル引く前記第１の入力電圧のレベルに等しいレベルを有する第１の出力電圧を供給するように構成される、第１の計算回路と；
前記２チャネルＬＥＤドライバの第２の駆動電流に基づく第２の入力電圧を受けるように電気的に結合され、前記第１の入力電圧の前記レベル引く前記第２の入力電圧の前記レベルに等しいレベルを有する第２の出力電圧を供給するように構成される、第２の計算回路と；
前記第１の出力電圧の前記レベルに基づくレベルを有する第１の駆動電流を発生するように構成される第１の電流発生器と；
前記第２の出力電圧の前記レベルに基づくレベルを有する第２の駆動電流を発生するように構成される第２の電流発生器と；
前記第１及び前記第２の入力電流の前記レベルの両方がゼロより大きいという条件で前記第１及び前記第２の入力電圧の前記レベルに基づくレベルを有する第３の駆動電流を供給するように構成される制御回路と；
を含む、コンバータ回路と；
を有する、システム。
【請求項８】
少なくとも前記第１、前記第２、及び前記第３のＬＥＤアレイが配置される第１の回路基板と；
前記コンバータ回路が配置される第２の回路基板と；
をさらに有する、
請求項７に記載のシステム。
【請求項９】
前記第１のＣＣＴは、暖かい白色光に対応し、前記第２のＣＣＴは、冷たい白色光に対応し、前記第３のＣＣＴは、昼白色光に対応する、
請求項７に記載のシステム。
【請求項１０】
前記第１、前記第２、及び前記第３の駆動電流は、２７００Ｋから６５００Ｋの間の調整可能範囲にわたって前記システムの合成光出力を制御するように、前記第１、前記第２、及び前記第３のＬＥＤアレイのそれぞれのＬＥＤアレイの光出力の明るさを調整する、
請求項７に記載のシステム。
【請求項１１】
前記第１の計算回路は：
前記第１の入力電圧を減衰させるように構成される第１の分割抵抗と；
減衰された前記第１の入力電圧をフィルタリングするように構成される第１のローパスフィルタと；
第１のオペアンプと；
を有する、
請求項７に記載のシステム。
【請求項１２】
前記第２の計算回路は：
前記第１の入力電圧を減衰させるように構成される第２の分割抵抗と；
減衰された前記第１の入力電圧をフィルタリングするように構成される第２のローパスフィルタと；
第２のオペアンプと；
を有する、
請求項７に記載のシステム。
【請求項１３】
前記第１の計算回路は、前記第１の入力電圧と前記第２の入力電圧との間の差が負である条件で、前記第１の出力電圧を略ゼロに減少させるように構成される、
請求項７に記載のシステム。
【請求項１４】
前記第２の計算回路は、前記第２の入力電圧と前記第１の入力電圧との間の差が負である条件で、前記第２の出力電圧を略ゼロに減少させるように構成される、
請求項７に記載のシステム。
【請求項１５】
２つの出力ターミナルを有する２チャネルＬＥＤドライバであって、前記２つの出力ターミナルの各々において別個の駆動電流を供給するように構成される、２チャネルＬＥＤドライバと；
２つの入力ターミナルであって、前記２つの入力ターミナルの各々は、前記２チャネルＬＥＤドライバの前記２つの出力ターミナルのそれぞれの出力ターミナルに電気的に結合される、２つの入力ターミナルと、３つの出力ターミナルであって、前記３つの出力ターミナルの各々は、別々のＬＥＤ駆動電流を供給するように構成される、３つの出力ターミナルと、を有するコンバータ回路であって、前記コンバータ回路の前記２つの入力ターミナルのうちの第１の入力ターミナルが、前記２チャネルＬＥＤドライバの前記２つの出力ターミナルのうちの第１の出力ターミナルから第１の電流レベルを有する第１の電流を受けるように構成され、前記コンバータ回路の前記２つの入力ターミナルのうちの第２の入力ターミナルが、前記２チャネルＬＥＤドライバの前記２つの出力ターミナルのうちの第２の出力ターミナルから第２の電流レベルを有する第２の電流を受けるように構成され、前記コンバータ回路はさらに：
前記第１の電流レベルが前記第２の電流レベルより大きい条件で前記第１の電流レベル引く前記第２の電流レベルと等しく、それ以外の場合はゼロに等しいレベルを有する第１の駆動電流を供給するように構成される第１の電流発生器と；
前記第１の電流レベルが前記第２の電流レベルより大きい条件で前記第２の電流レベルの２倍に等しく、それ以外の場合は前記第１の電流レベルの２倍に等しいレベルを有する第２の駆動電流を供給するように構成される第２の電流発生器と；
前記第１の電流レベルが前記第２の電流レベルより大きい条件でゼロに等しく、それ以外の場合は前記第２の電流レベル引く前記第１の電流レベルに等しいレベルを有する第３の駆動電流を供給するように構成されるコントローラと；
を含む、コンバータ回路と；
を有する、
デバイス。
【請求項１６】
前記第１の入力ターミナル及び前記第２の入力ターミナルを有し、前記第１の電流発生器、前記第２の電流発生器、及び前記コントローラが配置される、回路基板をさらに有する、
請求項１５に記載のデバイス。
【請求項１７】
前記コンバータ回路は：
前記２チャネルドライバの第１の駆動電流に基づく第１の電圧を受けるように電気的に結合され、前記第２の入力電圧のレベル引く前記第１の入力電圧のレベルに等しいレベルを有する第１の出力電圧を供給するように構成される、第１の計算回路と；
前記２チャネルドライバの第２の駆動電流に基づく第２の入力電圧を受けるように電気的に結合され、前記第１の入力電圧の前記レベル引く前記第２の入力電圧の前記レベルに等しいレベルを有する第２の出力電圧を供給するように構成される、第２の計算回路と；
前記第１の出力電圧の前記レベルに基づくレベルを有する第１の駆動電流を発生するように構成される第１の電流発生器と；
前記第２の出力電圧の前記レベルに基づくレベルを有する第２の駆動電流を発生するように構成される第２の電流発生器と；
前記第１及び前記第２の入力電流の前記レベルの両方がゼロより大きいという条件で前記第１及び前記第２の入力電圧の前記レベルに基づくレベルを有する第３の駆動電流を供給するように構成される制御回路と；
を有する、
請求項１６に記載のデバイス。